(57)【要約】  本発明は音波を利用した動物駆除機に関するもので、野生動物による農作物の被害防止、電柱の安全事故の予防、飛行機の離陸と着陸時の安全事故の予防及び高速鉄道での安全事故の予防のために、動物が嫌がる音波帯域を共振させて増幅拡散させることを目的とし、電気パルス信号を発生させる音波発生部（１１）；前記音波発生部（１１）で発生されたパルス信号の共振発生を誘導するために周波数を調節する第１周波数調節部（１２）及び第２周波数調節部（１３）；前記第１周波数調節部（１２）を通じて出力されるパルス信号を音波に変換させて出力する音波出力部（１４）；前記第２周波数調節部（１３）を通じて出力されるパルス信号を音波に変換させて出力する共振発生用音波出力部（１５）；前記音波出力部（１４）から出力される音波と共振発生用音波出力部（１５）から出力される音波が同時に滞留する空間を設け、相互干渉によって共振を発生するように誘導して音量及び周波数を増幅させる共振発生部（１６）；及び共振発生によって膨脹された音波を誘導経路を通じて自由空間に拡散させる音波拡散部（１７）；を含む音波を利用した動物駆除機に関する。【選択図】図１
2014526274.tif 000002
【特許請求の範囲】
【請求項１】
電気パルス信号を発生させる音波発生部（１１）；前記音波発生部（１１）で発生されたパルス信号の共振発生を誘導するために周波数を調節する第１周波数調節部（１２）及び第２周波数調節部（１３）；前記第１周波数調節部（１２）を通じて出力されるパルス信号を音波に変換させて出力する音波出力部（１４）；前記第２周波数調節部（１３）を通じて出力されるパルス信号を音波に変換させて出力する共振発生用音波出力部（１５）；前記音波出力部（１４）から出力される音波と共振発生用音波出力部（１５）から出力される音波が同時に滞留する空間を設け、相互干渉によって共振を発生するように誘導して、音量と周波数を増幅させる共振発生部（１６）；及び共振発生によって膨脹された音波を誘導経路を通じて自由空間に拡散させる音波拡散部（１７）；を含んで構成されることを特徴とする音波を利用した動物駆除機。
【請求項２】
前記音波発生部（１１）は音波のパルスを発生させる発振器を含むパルス発生回路であることを特徴とする請求項１に記載の音波を利用した動物駆除機。
【請求項３】
前記音波は弾性媒質内で発生する振動または圧力波で、可聴周波数の中で特定周波数帯と可聴周波数である２０ＫＨｚより大きい値の周波数を有する超音波、または  ３〜３０ＭＨｚ範囲の高周波、または５００ＭＨｚ以上の極超音波であることを特徴とする請求項１に記載の音波を利用した動物駆除機。
【請求項４】
前記第１周波数調節部（１２）及び第２周波数調節部（１３）は自動周波数調節機または自動周波数調節機を含む周波数調節回路であることを特徴とする請求項１に記載の音波を利用した動物駆除機。
【請求項５】
前記音波出力部（１４）は第１周波数調節部（１２）で入力される周波数が調節された音波を共振発生部（１６）の一側端を通じて内部空間に出力させるスピーカーであることを特徴とする請求項１に記載の音波を利用した動物駆除機。
【請求項６】
前記共振発生用音波出力部（１５）は第２周波数調節部（１３）で入力される周波数が調節された音波を音波出力部（１４）と隣接した共振発生部（１６）の側面を通じて内部空間に出力させるスピーカー及びスピーカーと共振発生部（１６）との間を連通させる管体であるか、第２周波数調節部（１３）で入力される周波数が調節された音波を音波出力部（１４）と隣接した共振発生部（１６）の側面を通じて内部空間に誘導する管体であることを特徴とする請求項１に記載の音波を利用した動物駆除機。
【請求項７】
前記共振発生部（１６）は共振空間を有する管体であることを特徴とする請求項１に記載の音波を利用した動物駆除機。
【請求項８】
前記音波拡散部（１７）は共振されて増幅された音波を誘導して自由空間上に拡散させる拡張型音波出力体で、音波が自由空間に誘導される部分に複数のブレードまたはチューブが具備されることを特徴とする請求項１に記載の音波を利用した動物駆除機。
【請求項９】
前記音波を利用した動物駆除機は複数であり、それぞれの動物駆除機は各音波拡散部（１７）から出力される音波が自由空間のある地点で会うように配置されることを特徴とする請求項１〜８の何れか一項に記載の音波を利用した動物駆除機。
【発明の詳細な説明】
【技術分野】
【０００１】
本発明は音波を利用した動物駆除機に関するもので、さらに詳しくは、野生動物、特に鳥類による農作物の被害防止、電柱の安全事故の予防、各種飛行機の離陸と着陸時の安全事故の予防及び高速鉄道での安全事故の予防のために、動物が嫌がる音波帯域を共振させて増幅拡散させる音波を利用した動物駆除機に関する。
【背景技術】
【０００２】
一般に、音は物体と物体が摩擦して空気を振動する時に発生するが、１秒間の振動回数を周波数と言い、これをヘルツ（Ｈｚ）という単位で表示する。即ち、５００Ｈｚとは、１秒に空気を５００回振動させることを意味する。
【０００３】
太くて低い音であるほど周波数が低く、細くて高い音であるほど周波数が高い。周波数の範囲は０から無限大までであるが、１５Ｈｚ〜２００００Ｈｚまでを人間が感知することができる周波数即ち可聴周波数と言う。１５Ｈｚ以下の音は低周波、２００００Ｈｚ以上の音は超音波と称する。動物や昆虫は２００００Ｈｚ以上の音を聞くこともでき、犬を呼ぶ呼び子、超音波昆虫駆除機などはこの原理を利用した装置である。
【０００４】
上記犬を呼ぶ呼び子の場合、その呼び子を吹く人の耳には聞こえないが、犬はその音を聞いて駆けつける。超音波昆虫駆除機も人には何の音も聞こえないのでぐっすり眠ることができるが、蚤や蟻などはその音によって接近できなくなる。低周波は主に物理治療用として用いられる。
【０００５】
上記のように、人の耳には聞こえないで動物のみに聞こえる音波を利用して動物を駆除する装置は多数紹介されている。
【０００６】
例えば、大韓民国実用新案登録第２８９４１０号明細書（超音波爆音を利用した野生動物駆除機；出願日：２００２年０６月０８日（以下、「文献１」と言う））と大韓民国特許第３６７８１０号明細書（「停電事故防止用鵲駆除機」；出願日：２００３年０３月０２日（以下、「文献２」と言う））とが挙げられる。
【０００７】
上記文献１は農耕地や果樹園、飛行場などの場所で、薬室でガスを爆発させて爆発ガスの圧力を利用して超音波爆音を発生させて野生動物を駆除することを目的とし、ガスタンク、点火装置、薬室、ノズル、ホーン、電子回路などを具備し、薬室にガスを供給して爆発させて爆音を発生させる装置において、爆発ガスを垂直に設置されたシリンダーのノズルで噴射させて、シリンダーに垂直に付着されたホーンで超音波爆音を発生させることによって、野生動物の耳に逆らう超音波爆音を電子回路によって不規則的な間隔と不規則的な大きさで発生させる。
【０００８】
一方、上記文献２は、配電線路の電柱で、鳥類、特に鵲によって発生する停電事故の防止対策として、鵲の発声的な特徴の中で警報音を利用して鵲の聴覚的な警戒心を誘発し、鵲が嫌がる赤色で駆除機を製作して視覚的嫌悪感を起こし、回転駆動装置を駆動させて鳥類、特に鵲が電柱に近付くことができないようにするために、警報音を発生する停電事故防止用鵲駆除機である。
【０００９】
上記のような従来の音波を利用した動物駆除機は、単純に超音波を発生させて自由空間に送出するもので、これは技術的困難が全くない慣用の技術に過ぎない。
【００１０】
上記音波の波長はその振源地から遠くなるほど漸次小さくなってからある瞬間に消える。これは穏やかな水面に石を投げた時、その波長は石が落ちた地点から遠くなるほど小さくなって結局消えることと同じ道理である。大きい音であるほど長い波長を有し、これも石が大きいほどその波長が長くなるのと同じである。例えば、１００ｋｇの石と１ｋｇの石が起こす波長の大きさに非常に大きい差があるのと同じである。
【００１１】
このような原理を利用して、従来の音波を利用した動物駆除機は、音波を発生させた後、送出半径を拡大させるために、別途の増幅回路を通じて音波を増大させているが、この場合、増幅過程でノイズあるいは周波数が変形（歪曲）されて、動物が嫌がる音波から脱した音波が出力される問題点がある。
【発明の概要】
【発明が解決しようとする課題】
【００１２】
本発明は野生動物、特に鳥類による農作物の被害防止、電柱の安全事故の予防、各種飛行機の離陸と着陸時の安全事故の予防及び高速鉄道での安全事故の予防のために、動物が嫌がる音波帯域を共振させて増幅拡散させる音波を利用した動物駆除機を提供することを目的とする。
【００１３】
特に、本発明は共振を通じて音波を増幅させて、ノイズあるいは周波数の変形なしに、自由空間に幅広く拡散させる音波を利用した動物駆除機を提供することを目的とする。
【課題を解決するための手段】
【００１４】
上記のような目的を達成するために、本発明は、電気パルス信号を発生させる音波発生部１１；上記音波発生部１１で発生されたパルス信号の共振発生を誘導するために周波数を調節する第１周波数調節部１２及び第２周波数調節部１３；上記第１周波数調節部１２を通じて出力されるパルス信号を音波に変換させて出力する音波出力部１４；上記第２周波数調節部１３を通じて出力されるパルス信号を音波に変換させて出力する共振発生用音波出力部１５；上記音波出力部１４から出力される音波と共振発生用音波出力部１５から出力される音波が同時に滞留する空間を設けて、相互干渉によって共振を発生するように誘導して音量と周波数を増幅させる共振発生部１６；及び共振発生によって膨脹された音波を、誘導経路を通じて自由空間に拡散させる音波拡散部１７；を含んで構成されることを特徴とする。
【発明の効果】
【００１５】
上記のような技術的課題による本発明は、動物が嫌がる音波帯域を共振させて増幅拡散させることによって、野生動物、特に鳥類による農作物の被害防止、電柱の安全事故の予防、各種飛行機の離陸と着陸時の安全事故の予防及び高速鉄道での安全事故を予防するという効果を奏する。
【００１６】
また、本発明は、音波出力部から出力される音波と共振発生用音波出力部から出力される音波を共振発生部の空間に同時に滞留させて、共振を通じて音波を増幅させることによって、増幅過程でノイズあるいは周波数が変形されて、動物が嫌がる音波から脱した音波が出力されることを防止するという効果を奏する。
【図面の簡単な説明】
【００１７】
【図１】本発明の構成を示したブロック図である。
【図２】本発明の構成をより具体的に示した構成図である。
【図３】本発明の別の実施例の構成を示したブロック図である。
【図４】本発明のさらに別の実施例の構成を示したブロック図である。
【図５】本発明のさらに別の実施例の構成を示したブロック図である。
【図６】本発明のさらに別の実施例の構成を示した構成図である。
【符号の説明】
【００１８】
１０  音波を利用した動物駆除機
１１  音波発生部
１２  第１周波数調節部
１３  第２周波数調節部
１４  音波出力部
１５  共振発生用音波出力部
１６  共振発生部
１７  音波拡散部
１８  電源供給部
【発明を実施するための最良の形態】
【００１９】
本発明による音波を利用した動物駆除機１０は、電気パルス信号を発生させる音波発生部１１；上記音波発生部１１で発生されたパルス信号の共振発生を誘導するために周波数を調節する第１周波数調節部１２及び第２周波数調節部１３；上記第１周波数調節部１２を通じて出力されるパルス信号を音波に変換させて出力する音波出力部１４；上記第２周波数調節部１３を通じて出力されるパルス信号を音波に変換させて出力する共振発生用音波出力部１５；上記音波出力部１４から出力される音波と共振発生用音波出力部１５から出力される音波が同時に滞留する空間を設け、相互干渉によって共振を発生するように誘導して音量と周波数を増幅させる共振発生部１６；及び共振発生によって膨脹された音波を誘導経路を通じて自由空間に拡散させる音波拡散部１７；を含んで構成されることを特徴とする。
【発明を実施するための形態】
【００２０】
添付した図面を通じて本発明の構成を具体的に説明すれば次の通りである。
【００２１】
まず、添付された図１及び図２に示したように、本発明による音波を利用した動物駆除機１０は、電気パルス信号を発生させる音波発生部１１；上記音波発生部１１で発生されたパルス信号の共振発生を誘導するために周波数を調節する第１周波数調節部１２及び第２周波数調節部１３；上記第１周波数調節部１２を通じて出力されるパルス信号を音波に変換させて出力する音波出力部１４；上記第２周波数調節部１３を通じて出力されるパルス信号を音波に変換させて出力する共振発生用音波出力部１５；上記音波出力部１４から出力される音波と共振発生用音波出力部１５から出力される音波が同時に滞留する空間を設け、相互干渉によって共振を発生するように誘導して音量と周波数を増幅させる共振発生部１６；及び共振発生によって膨脹された音波を誘導経路を通じて自由空間に拡散させる音波拡散部１７；を含んで構成されることができる。
【００２２】
ここで、本発明において、上記音波発生部１１は音波のパルスを発生させる発電機を含むパルス発生回路であることができる。
【００２３】
この時、上記音波は弾性媒質内で発生する振動または圧力波で、可聴周波数の中で特定周波数帯と可聴周波数である２０ｋＨｚより大きい値の周波数を有する超音波であることができ、３〜３０ＭＨｚ範囲の高周波であることもでき、５００ＭＨｚ以上の極超音波であることもできる。
【００２４】
上記のような範囲を有する音波は範囲内で動物が嫌がる音波が予め設定されて、順次且つ連続的に発生させることができる。
【００２５】
上記で可聴周波数の中で特定周波数帯とは、例えば鳥類、特に鵲が嫌がる周波数帯であることができる。鳥類、特に鵲が発生させる音はベギングトリル（Ｂｅｇｇｉｎｇ  Ｔｒｉｌｌ）、ベギングスクリーム（Ｂｅｇｇｉｎｇ  Ｓｃｒｅａｍ）、ソフトホイッスル（Ｓｏｆｔ  Ｗｈｉｓｔｌｅｓ）、ディストレスコール（Ｄｉｓｔｒｅｓｓ  Ｃａｌｌ）及びアラームコール（Ａｌａｒｍ  Ｃａｌｌ）などに分類することができ、ベギングトリル（Ｂｅｇｇｉｎｇ  Ｔｒｉｌｌ）、ベギングスクリーム（Ｂｅｇｇｉｎｇ  Ｓｃｒｅａｍ）、ソフトホイッスル（Ｓｏｆｔ  Ｗｈｉｓｔｌｅｓ）の場合は生後３０日前のみに現われ、生後３０日以後には完全に消える音声として現われる。ディストレスコール（Ｄｉｓｔｒｅｓｓ  Ｃａｌｌ）とアラームコール（Ａｌａｒｍ  Ｃａｌｌ）の場合は生後１７日頃に初めて確認されるが、音調の変化なしに、その後も引き続いて現われるものとして観察される。
【００２６】
このような鳥類、特に鵲の発声変化は体温調節能力が生じる時期と同じで、鳥類、特に鵲の体温調節能力と発声の変化は成熟した鳥に成長したことを現わす。鳥類、特に鵲に急に脅威を加えた場合、２０日以前の幼鳥は体をすくめ、消極的な反応を現わす一方、２０日以後の幼鳥は巣から飛び降りる積極的な反応を現わす。この時、巣から飛びおりながら出す音はアラームコール（Ａｌａｒｍ  Ｃａｌｌ）である。アラームコール（Ａｌａｒｍ  Ｃａｌｌ）は３、６、９ｋＨｚと０．０５ｓｅｃの定型的な音色を有し、ディストレスコール（Ｄｉｓｔｒｅｓｓ  Ｃａｌｌ）と同じく、転位期間なしに、成長が終わった後も引き続いて現われる発声的特徴を有している。
【００２７】
鳥類、特に鵲にディストレスコール（Ｄｉｓｔｒｅｓｓ  Ｃａｌｌ）を聞かせた場合、９回の実験の中、４回は親鳥が幼鳥に戻り、アラームコール（Ａｌａｒｍ  Ｃａｌｌ）の場合、１８回の実験の中、１５回は幼鳥に戻る現象が観察された。
【００２８】
従って、アラームコール（Ａｌａｒｍ  Ｃａｌｌ）は鳥類、特に鵲の相互間に警戒心を誘発し、ストレスを誘発することが知られている。
【００２９】
一方、本発明において、上記第１周波数調節部１２は自動周波数調節機または自動周波数調節機を含んだ周波数調節回路であることができ、オープンルーフで動作し、基準周波数が整数分周された周波数信号と上記基準周波数信号を比べて出力周波数に対応されるキャパシターバンクを選択するキャパシターバンク選択回路と、上記キャパシターバンクが選択されると、閉ループで動作し、上記出力周波数に対応される出力電圧と予め設定された電圧範囲を比べて、上記キャパシターバンク選択部で選択したキャパシターバンクを調節するキャパシターバンク調節回路とを含んで構成されることができる。
【００３０】
上記第１周波数調節部１２は、上記のように共振発生を誘導するために周波数を調節する装置であり、周波数を調節する機能を有し、目的によって（動物によって）、必要な各周波数帯域の共振を誘導するために自動調節することもできるが、手動操作を通じて所定の周波数（よく出現する動物が嫌がる音波）に維持、即ち固定することもできる。
【００３１】
また、本発明において、上記第２周波数調節部１３は第１周波数調節部１２と同じであるので具体的な説明は省略する。
【００３２】
また、本発明において、上記音波出力部１４は第１周波数調節部１２で入力される周波数が調節された音波を共振発生部１６の一側端を通じて内部空間に出力させるスピーカーであることができる。
【００３３】
また、本発明において、上記共振発生用音波出力部１５は第２周波数調節部１３で入力される周波数が調節された音波を音波出力部１４と隣接した共振発生部１６の側面を通じて内部空間に出力させるスピーカー及びスピーカーと共振発生部１６との間を連通させる管体であることもでき、第２周波数調節部１３で入力される周波数が調節された音波を音波出力部１４と隣接した共振発生部１６の側面を通じて内部空間に誘導する管体であることができる。
【００３４】
また、本発明において、上記共振発生部１６は共振空間を有する管体であることができる。
【００３５】
また、本発明において、上記音波拡散部１７は共振されて増幅された音波を誘導して自由空間上に拡散させる拡張型音波出力体で、音波が自由空間に誘導される部分に複数のブレード（Ｂｌａｄｅ）またはチューブ（Ｔｕｂｅ）を設けることができる。
【００３６】
また、上記音波拡散部１７は出力端がドーム形態で構成される音波出力体であることもできる。
【００３７】
そして、本発明は、上記外部から常用電源を受けて、上記音波発生部１１、第１周波数調節部１２及び第２周波数調節部１３、音波出力部１４、共振発生用音波出力部１５及びマイクロプロセッサー１９の動作電源に変換させて供給する電圧安定化回路を含む電源供給部１８をさらに設ける。
【００３８】
上記電源供給部１８は半導体で作られた太陽電池に光エネルギーが投入されると電子が移動して電流が流れて電気が発生する原理を利用した太陽光発電機であることもできる。
【００３９】
このように構成されることができる本発明の作用を説明すれば次の通りである。
【００４０】
まず、本発明は、電気パルス信号を発生させる音波発生部１１；上記音波発生部１１で発生されたパルス信号の共振発生を誘導するために周波数を調節する第１周波数調節部１２及び第２周波数調節部１３；上記第１周波数調節部１２を通じて出力されるパルス信号を音波に変換させて出力する音波出力部１４；上記第２周波数調節部１３を通じて出力されるパルス信号を音波に変換させて出力する共振発生用音波出力部１５；上記音波出力部１４から出力される音波と共振発生用音波出力部１５から出力される音波が同時に滞留する空間を設け、相互干渉によって共振を起こすように誘導して、音量と周波数を増幅させる共振発生部１６；及び共振発生によって膨脹された音波を誘導経路を通じて自由空間に拡散させる音波拡散部１７；を含んで構成される。
【００４１】
上記音波発生部１１は音波のパルスを発生させる発振器を含むパルス発生回路である。
【００４２】
上記発振回路は共振回路の変成機によってフィードバック回路が作られた同調型発振回路、または出力の一部をコンデンサーで分圧して入力に戻すコルピッツ（Ｃｏｌｐｉｔｔｓ）発振回路、または出力の一部をコイルに中間タップを設けて入力に戻すハートレー（Ｈａｒｔｌｅｙ）発振回路、またはコレクター側の出力電圧の位相を１８０°変えて、入力側のベースに正のフィードバックをして発振する理想型並列Ｒ型発振回路、または圧電効果（水晶、ロッシェル塩、電気石、チタン酸バリウムなどの結晶に圧力を印加すると表面に電荷が現われて起電力が発生）を利用する水晶振動子の中の何れか一つであり、その外の発振回路も適用可能である。
【００４３】
このような音波発生部１１である発振回路でパルス信号を発生させる。
【００４４】
上記のように発生されたパルス信号は自動周波数調節機または自動周波数調節機を含む周波数調節回路で構成される第１周波数調節部１２を通じて駆除対象である動物が嫌がる音波にあたる周波数信号に調節されて、音波出力部１４であるスピーカーを通じて共振発生部１６に引入される。
【００４５】
同時に、上記第２周波数調節部１３が音波発生部１１で発生されたパルス信号を音波出力部１４から出力される音波と共振のための周波数信号に調節し、このように調節されたパルス信号は共振発生用音波出力部１５であるスピーカーと管体または管体を通じて共振発生部１６に引入される。
【００４６】
この時、上記第１周波数調節部１２はキャパシターバンク選択回路がオープンルーフで動作し、基準周波数が整数分周された周波数信号と上記基準周波数信号を比べて出力周波数に対応されるキャパシターバンクを選択し、上記キャパシターバンクが選択されると、キャパシターバンク調節回路が閉ルーフで動作し、上記出力周波数に対応される出力電圧と予め設定された電圧範囲を比べて上記キャパシターバンク選択部で選択したキャパシターバンクを調節して、所望の周波数に調節して出力する。これは第２周波数調節部１３も同じである。
【００４７】
上記第１周波数調節部１２から出力された信号は音波出力部１４を通じて音波に変換され、共振発生部１６の一側端を通じて内部空間に出力されて導入され、上記第２周波数調節部１３から出力された信号は共振発生用音波出力部１５を通じて音波に変換されて、音波出力部１４と隣接した共振発生部１６の側面を通じて内部空間に出力されて導入される。
【００４８】
上記のように、音波出力部１４と共振発生用音波出力部１５を通じてそれぞれ導入されると、共振発生用音波出力部１５を通じて導入された音波が音波出力部１４から導入された音波の周波数に導かれて同一の振動数で振動しながら増幅される。
【００４９】
このように増幅された音波は音波拡散部１７を通じて自由空間上に拡散される。例示的に、上記音波が超音波の場合、空気の中を進行する音波のように縦波の形態や、固体内では横波や剪断波になる。また、超音波の中の何れかは固体表面に沿って進行したり（レイリー波）、細い棒と物体の切断面に沿って進行（ラム波）するので、本発明の音波拡散部１７にはブレードまたはチューブが具備されて音波を拡散させる。
【００５０】
上記のように、本発明は動物が嫌がる音波帯域を共振させて増幅拡散させることによって、野生動物、特に鳥類による農作物の被害防止、電信柱の安全事故の予防、各種飛行機の離陸と着陸時の安全事故の予防及び高速鉄道での安全事故を予防することが可能である。特に、本発明は音波出力部から出力される音波と共振発生用音波出力部から出力される音波を共振発生部の空間に同時に滞留させて、共振を通じて音波を増幅させることによって、増幅過程でノイズあるいは周波数が変形されて、動物が嫌がる音波から脱した音波が出力されることを防止することが可能である。
【００５１】
このように構成される本発明の他の実施例を説明すれば次の通りである。
【００５２】
まず、本発明は図３に示したように、上記共振発生用音波出力部１５は音波出力部１４と隣接した共振発生部１６の側面に直接連結されるスピーカーであることができる。
【００５３】
そして、共振発生部１６である管体の表面と内部空間に同時に音波を伝達させて共振が発生されるようにする。
【００５４】
また、本発明は図４に示したように、上記共振発生用音波出力部１５は音波出力部１４と対向する方向に互いに向い合った状態で位置するように、上記共振発生部１６の内部空間に具備されるスピーカーであることができる。
【００５５】
このようにして、音波出力部１４から出力される音波と共振発生用音波出力部１５から出力される音波が向い合った状態で相互反応、即ち干渉を起こして共振を通じた増幅が行われる。
【００５６】
また、本発明は図５に示したように、上記第２周波数調節部１３と共振発生用音波出力部１５を排除させ、第１周波数調節部１２と音波出力部１４との間と共振発生部１６を、管体を通じて直接に連通させることもできる。
【００５７】
このようにして、上記第１周波数調節部１２から出力される音波信号が音波出力部１４に出力されると同時に、第１周波数調節部１２と音波出力部１４との間と共振発生部１６を連通させる管体を通じて引入（音波出力部１４に引入される音波より位相が遅延されて引入）されて、共振を誘発させる。
【００５８】
一方、本発明による音波を利用した動物駆除機１０は複数設置することができ、それぞれの動物駆除機１０は各音波拡散部１７から出力される音波が自由空間のある地点で出会うように配置することができる。
【００５９】
即ち、図６に示したように、一対の上記動物駆除機１０を利用するが、各音波拡散部１７の出力方向を調節して各音波拡散部１７から出力される増幅された音波が自由空間のある地点で出会うように配置することができ、この場合、増幅音波が重なるようになって、増幅された音波の拡散距離を増加させることができる。
【００６０】
図６では２つの動物駆除機１０を利用したことを例示したが、音波の拡散効果を高めるために、３つ以上の動物駆除機１０を結合させることもできる。また、図６では図１及び図２に例示された１対の動物駆除機１０を利用したことが例示されたが、このような技術思想によって、図３、図４または図５に示した動物駆除機を複数用いるか、各図面に示した動物駆除機１０を混合して複数を結合させることもできる。
【００６１】
以上、本発明の原理を例示するための好ましい実施例を通じて本発明を説明したが、本発明は上記実施例の構成及び作用に限定されるものではない。
【００６２】
その他にも、特許請求範囲の思想及び範疇を逸脱することなく、本発明に対する多様な変更及び修正が可能であることは当業者にとって自明である。
【００６３】
従って、このような全ての適切な変更、修正及び均等物も本発明の範囲に属するものと理解すべきである。
【図１】
2014526274.tif 000003
【図２】
2014526274.tif 000004
【図３】
2014526274.tif 000005
【図４】
2014526274.tif 000006
【図５】
2014526274.tif 000007
【図６】
2014526274.tif 000008
【国際調査報告】
2014526274.tif 000009
2014526274.tif 000010
2014526274.tif 000011
2014526274.tif 000012